(57)【要約】【課題】熱放散が改善されたバストカップの提供。【解決手段】ブラジャーのような肌着用のバストカップが提供される。バストカップは、第１の表面および第１の表面の反対側の第２の表面を有するカップ芯を含む。第１および第２の表面の各々は、複数の溝が付いて形成される。各溝は、細長い開口部、細長い底部、および溝の２つの長手方向側部の各々の上の側壁を有する。また、バストカップは、カップ芯の第１の表面上を覆う第１の布層、およびカップ芯の第２の表面上を覆う第２の布層を含む。複数の第１の溝のうちの１つまたは複数の側壁の頂部部分は、第１の布層に取り付けられ、一方、複数の第１の溝のうちの１つまたは複数の底部の少なくとも一部は、第１の布層に取り付けられない。【選択図】図５
2019011545.tif 000002
【特許請求の範囲】
【請求項１】
第１の表面および前記第１の表面の反対側の第２の表面を有するカップ芯であって、前記第１および第２の表面の各々は、複数の溝が付いて形成され、各溝は、細長い開口部、細長い底部、および前記溝の２つの長手方向側部の各々の上の側壁を有する、カップ芯、
前記カップ芯の前記第１の表面を被覆する第１の布層、
前記カップ芯の第２の表面を被覆する第２の布層、
を含み、
前記複数の前記第１の溝のうちの１つまたは複数の前記側壁の頂部部分は、前記第１の布層に取り付けられており、一方、前記複数の前記第１の溝のうちの前記１つまたは複数の前記底部の少なくとも一部は、前記第１の布層に取り付けられていないことを特徴とするバストカップ。
【請求項２】
前記複数の前記第２の溝のうちの１つまたは複数の前記側壁の頂部部分は、前記第２の布層に取り付けられており、一方、前記複数の前記第２の溝のうちの前記１つまたは複数の前記底部の少なくとも一部は、前記第２の布層に取り付けられていないことを特徴とする請求項１に記載のバストカップ。
【請求項３】
複数の開孔は、前記複数の第１および第２の溝のうちの前記１つまたは複数の前記底部の少なくとも一部内に形成されていることを特徴とする請求項１に記載のバストカップ。
【請求項４】
前記開孔は、貫通穴であること特徴とする請求項３に記載のバストカップ。
【請求項５】
前記複数の第１の溝および前記複数の第２の溝は、実質的に平行な溝であることを特徴とする請求項１に記載のバストカップ。
【請求項６】
前記複数の第１の溝および前記複数の第２の溝は実質的に直線状の溝であることを特徴とする請求項５に記載のバストカップ。
【請求項７】
前記複数の第１の溝および前記複数の第２の溝は湾曲しており、および各湾曲した溝は、単一の凸形状を含むことを特徴とする請求項５に記載のバストカップ。
【請求項８】
前記複数の第１の溝および前記複数の第２の溝は交互に配置されていることを特徴とする請求項１に記載のバストカップ。
【請求項９】
前記カップ芯は射出成形によって形成されることを特徴とする請求項１に記載のバストカップ。
【発明の詳細な説明】
【技術分野】
【０００１】
本発明は、ブラジャーのような肌着用のバストカップ、およびそのようなバストカップを製造するための方法に関する。
【背景技術】
【０００２】
下着用バストカップは、大抵、バストカップ芯およびバストカップ芯の両側を被覆する布層を含む。通常の下着は、大抵、良好なビジュアル効果を得るために、着用者の体に密接にフィットする。しかしながら、特に、暑い天気または運動の間、下着の体との密接なフィットは、熱を放散することを困難にし、着用者に不快感をもたらす。
【発明の概要】
【発明が解決しようとする課題】
【０００３】
本出願は、上記の問題を克服するためのバストカップおよびその製造方法を提案することを対象とする。
【課題を解決するための手段】
【０００４】
本発明の１つの態様により、肌着バストカップが提供される。バストカップは、第１の表面および第１の表面の反対側の第２の表面を有するカップ芯を含む。第１および第２の表面の各々は、複数の溝が付いて形成され、各溝は、細長い開口部、細長い底部、および溝の２つの長手方向側部の各々の上の側壁を有する。第１の布層は、カップ芯の第１の表面上を覆いまたは被覆し、および第２の布層は、カップ芯の第２の表面上を覆いまたは被覆する。複数の第１の溝のうちの１つまたは複数の側壁の頂部部分は、第１の布層に取り付けられており、一方、複数の第１の溝のうちの１つまたは複数の底部の少なくとも一部は、第１の布層に取り付けられていない。
【０００５】
本発明の別の態様により、肌着バストカップを製造するための方法が提供される。方法は、金型で、好ましくは射出成形によって、バストカップ芯を形成する工程を含む。そのように形成されたバストカップ芯は、第１の表面および第１の表面の反対側の第２の表面を有するカップ芯を含む。第１および第２の表面の各々は、複数の溝が付いて形成され、各溝は、細長い開口部、細長い底部、および溝の２つの長手方向側部の各々の上の側壁を有する。第１の布層は、カップ芯の第１の表面上を覆いまたは被覆し、および第２の布層は、カップ芯の第２の表面上を覆いまたは被覆する。複数の第１の溝のうちの１つまたは複数の側壁の頂部部分は、第１の布層に取り付けられており、一方、複数の第１の溝のうちの１つまたは複数の底部の少なくとも一部は、第１の布層に取り付けられていない。
【図面の簡単な説明】
【０００６】
【図１】図１および図２は、本発明の例示的な実施形態によるバストカップ芯を形成するための装置および方法の概略図である。
【図２】図１および図２は、本発明の例示的な実施形態によるバストカップ芯を形成するための装置および方法の概略図である。
【図３Ａ】図３Ａおよび図３Ｂは、本発明の例示的な実施形態による、図１および図２に示される装置及び方法によって形成されたバストカップ芯の正面図および側面図をそれぞれ示す。
【図３Ｂ】図３Ａおよび図３Ｂは、本発明の例示的な実施形態による、図１および図２に示される装置及び方法によって形成されたバストカップ芯の正面図および側面図をそれぞれ示す。
【図４】本発明の例示的な実施形態によるバストカップの構成の概略図である。
【図５】本発明の例示的な実施形態により形成されたバストカップの断面図である。
【図６】本発明の例示的な実施形態により形成されたブラジャーの概略図である。
【発明を実施するための形態】
【０００７】
本出願の発明は、例示的な実施形態と併せて添付図面を参照して以下に記載される。
【０００８】
以下の記載において、ブラジャーを例として用いて、ブラジャー用のバストカップを製造するための方法およびそれによって得られたブラジャーの実施形態が記載される。しかしながら、本出願の発明は、ブラジャー用のバストカップに限定されず、バストカップを含む他の衣類または下着用のバストカップにも同様に適用されてもよいことは認められるべきである。
【０００９】
この記載において、内側および外側は着用者の体に関して定義されることは理解されるべきである。従って、内側は、衣類が着用されたときに着用者の体により近い側であり、外側は、衣類が着用されたときに着用者の体からより離れた側である。
【００１０】
図６を参照して、ブラジャーは、大抵、コネクタまたは中心のまちによって接続された２つのバストカップ、ならびにバストカップに取り付けられた肩紐およびサイドウィングを含む。本発明の実施形態のバストカップは、バストカップ芯、バストカップ芯の内側に取り付けられた内層、およびバストカップ芯の外側に取り付けられた外層を含む。バストカップ芯は、典型的には、ポリウレタンフォームまたは任意の他の適当な成形可能な材料から形成される。それは、好ましくは、射出成形される。バストカップの形状は、実質的には、バストカップ芯によって規定される。
【００１１】
図１および図２は、本発明の例示的な実施形態によるバストカップ芯を形成するための装置および方法の概略図を示す。示されるように、上部または凸状金型ポーション１１０および下部または凹状金型ポーション１２０を含む金型が使用されてもよい。凸状金型ポーション１１０および凹状金型ポーション１２０は、互いに向かって閉じたときに、バストカップ芯にとって望ましい形状に対応する形状または空洞を画定する。液体発泡材料１３０は、凹状金型ポーション１２０内に形成された空間または空洞内に射出ヘッドを通って射出される。発泡材料１３０の所望の量が射出された後に、凸状金型ポーション１１０および凹状金型ポーション１２０は閉じられ、および射出された発泡材料１３０は、所望の形状を有するバストカップ芯１４０内に射出成形される。金型ポーション１１０および１２０は、成形すると、成形されたバストカップ芯１４０は、その内表面および外表面のうちの一方または両方上に、複数の溝形状の凹部または窪み１４２、および凹部１４２内の複数の穴または開孔１４１を含むように設計されている。
【００１２】
図３Ａおよび図３Ｂは、本発明の例示的な実施形態による、図１および図２に示される装置および方法によって形成されたバストカップ芯の正面図および側面図をそれぞれ示す。図３Ａおよび図３Ｂは、左カップ部分および右カップ部分の両方を含むカップ芯を示すが、本発明のバストカップ芯は、単一のカップ部分または２つのカップ部分を含んでいてもよいことは認められるべきである。図３Ｂに示されるような実施形態において、複数の溝または溝形状の凹部１４２−１は、バストカップ芯１４０の外表面１４１０上に形成されており、およびまた、複数の溝または溝形状の凹部１４２−２は、芯１４０の内表面１４２０上に形成されている。外表面１４１０上の溝１４２−１および内表面１４２０上の溝１４２−２は、内表面１４２０上の溝または凹部１４２−２が外表面１４１０上の突出部としても現れ、および逆もまた同様となるように、交互に形成されている。図３Ｂに示される側面図は、バストカップ芯１４０の外表面１４１０および外表面１４１０上の複数の溝形状の凹部１４２−１を示し、また、外表面１４１０上の突出部として現れる、内表面１４２０上に形成された複数の溝形状の凹部１４２−２を示す。外表面１４１０上の溝１４２−１を例に取って、および内表面１４２０上の溝１４２−２にも同じことが当てはまることを認めて、各溝１４２−１は、細長い開口部１４２１、細長い開口部に対応する細長い底部またはチャネル１４２２、および、細長い底部から上方に延びる、溝の２つの長手方向側部の各々の上の側壁１４２３を含む。側壁１４２３は、底部１４２２から上へ延びまたは盛り上がり、および頂部部分または頂点１４２３Ａを有する。溝１４２−１および／または溝１４２−２の少なくとも底部１４２２において、複数の穴または開孔１４１が形成されていてもよい。開孔１４１は、貫通穴として形成されていてもよい。溝１４２−１および１４２−２の各々に関して、開孔１４１のサイズは、溝１４２−１または１４２−２の細長い開口部１４２１のサイズよりも小さい。溝１４２−１、１４２−２および開孔１４１は、それらを通る空気循環を可能にする。バストカップ芯１４０のそのような構造を用いて、バストカップ内の空気循環効果が高められる。また、開孔１４１無しに溝単独で空気循環を増強させることができ、および従って、開孔１４１は任意選択的であることは認められるべきである。しかしながら、溝内の開孔１４１の存在は、空気循環効果をさらに向上させることができ、好ましい。
【００１３】
図３Ａおよび図３Ｂに図示されるような例示的な実施形態において、それぞれバストカップ芯１４０の外表面１４１０上の複数の溝１４２−１および内表面１４２０上の複数の溝１４２−２は、実質的には、互いに実質的に平行に走る直線状の溝である。溝は、概して、バストカップのネックラインおよび／またはサイドラインからバストカップの底部に走り、衣類または下着が着用されたときにそれらが鉛直方向に走るように配向されている。あるいはまた、溝は、衣類または下着が着用されたときにそれらが水平方向に走るように配向されていてもよい。また、溝は、外側に、すなわち腋窩に向かって、凸形状に湾曲していてもよい。あるいはまた、溝は、また、外側に、すなわち中心のまちに向かって、凸形状に湾曲していてもよい。図３Ａは、腋窩に向かってわずかに外側に湾曲した右カップ部分上の溝、および他の腋窩に向かってわずかに外側に湾曲した左カップ部分上の溝を示す。実質的に直線状またはわずかに湾曲した溝は、波状の様式で走る溝よりも良い換気を提供することが分かる。好ましくは、湾曲した溝の各々は、単一の曲率中心を有し、または単一の凸形状を含む。
【００１４】
図４は、本発明の例示的な実施形態によるバストカップの構成の概略図を示す。図示されるように、バストカップ芯１４０、バストカップ芯１４０の第１のまたは外表面１４１０上を覆う第１のまたは外側布層４４０、およびバストカップ芯の第２のまたは内表面１４２０上を覆う第２のまたは内側布層４３０は、凸状金型ポーション４１０と凹状金型ポーション４２０との間で加熱および加圧下で一緒に成形される。具体的には、第１の布層４４０はバストカップ芯１４０と凹状金型ポーション４２０との間に配置されてもよく、および第２の布層４３０はバストカップ芯１４０と凸状金型ポーション４１０との間に配置されてもよい。接着剤４６０は、バストカップ芯１４０と第１の布層４４０との間に提供されていてもよく、およびまた、接着剤４５０は、バストカップ芯１４０と第２の布層４３０との間に提供されていてもよい。加熱および加圧下で成形すると、第１の布層４４０および第２の布層４３０は、バストカップ芯１４０の外表面および内表面にそれぞれ付着する。本発明の実施形態によると、凸状金型ポーションおよび凹状金型ポーションは、成形プロセスの間、バストカップ芯はプレス加工されるが第１および第２の布層は互いに対してプレス加工されないように、金型ポーションが閉じられたときに、互いに面する凹状金型および凸状金型の表面間に特定の距離または間隙があるように設計されている。その結果、成形後、布層（それが第１の布層であろうと第２の布層であろうと）と布層に面する溝の底部との間に特定の距離または間隙が残る。ここで使用される際の単語「面する（facing）」は、溝の底部は布層からより離れて位置付けられており、一方で溝の頂部は布層により近く位置付けられていることを意味する。換言すれば、成形プロセスの後、溝の頂部は、溝の底部に面している布層に取り付けられていてもよいが、溝の底部は、溝の底部に面している布層に取り付けられていない。これは、全てのまたは少なくとも複数の溝に当てはまり、およびそれによって、複数の溝を通る、すなわち第１または第２の布層と布層に面する複数の溝の底部との間の間隙を通る、複数の空気通路または空気チャネルチャネルを創り出し、その結果として、そのように形成されたバストカップの空気換気効果を増強させる。この構造は、図５の断面図から明らかである。布層と布層に面する溝の底部との間の空気チャネルの構成をさらに保証するために、好ましくは、溝の側壁の頂部のみに接着剤が付けられていてもよく、および、溝の底部には接着剤が何ら付けられていない。接着剤のこの選択的な適用を保証するために、接着剤は、例えば手作業でまたは噴霧によって付与されてもよい。
【００１５】
また、図４は、バストカップ芯１４０の外表面および内表面にそれぞれ取り付けられる布層４４０、４３０との熱プレス成形後に得られる前駆体バストカップ１５０、ならびにトリミング後に得られる最終的なバストカップ１６０をそれぞれ示す。
【００１６】
図５は、本発明の例示的な実施形態によるバストカップ１６０の線Ａ−Ａに沿って取った断面図を示す。図５に示されるように、第１の布層４４０は、複数の第１の溝１４２−１の各々の盛り上げられた側壁１４２３の頂部部分１４２３Ａの少なくとも一部は第１の布層４４０に取り付けられ、一方ではそのような第１の溝１４２−１の各々の底部１４２２またはそのような第１の溝１４２−１の各々の底部１４２２の少なくとも一部は第１の布層４４０に取り付けられず、その結果、第１の布層４４０とバストカップ芯１４０のそのような第１の溝１４２−１の底部１４２２との間の間隙が換気を増強させ得る空気チャネルを形成するように、バストカップ芯１４０の外表面１４１０に取り付けられている。
【００１７】
同様に、第２の布層４３０もまた、複数の第２の溝１４２−２の各々の盛り上げられた側壁１４２３の頂部部分１４２３Ａの少なくとも一部は第２の布層４３０に取り付けられ、一方ではそのような第２の溝１４２−２の各々の底部１４２２または底部１４２２の少なくとも一部は第２の布層４３０に取り付けられず、その結果、第２の布層４３０とバストカップ芯１４０のそのような第２の溝１４２−２の底部１４２２との間の間隙が換気を増強させ得る空気チャネルを形成するように、バストカップ芯１４０の内表面１４２０に取り付けられていてもよい。
【００１８】
先述の記載において、第１の布層は外側布層を指しおよび第２の布層は内側布層を指す一方で、それらは代わりに内側布層および外側布層をそれぞれ指してもよいことは理解されるべきである。加えて、第１および第２の布層のいずれかまたは両方は、先述のものにおいて記載されたような方法で、すなわち第１の布層および／または第２の布層と布層に面する溝の底部との間に形成された空気チャネルを含んで、バストカップ芯に取り付けられていてもよい。
【００１９】
図６は、本発明により形成されたバストカップ１６０を含むブラジャーの概略図を示す。
【００２０】
本発明のバストカップの実施形態によると、空気チャネルおよび／または換気穴は、内側および／または外側布層の下に位置付けられた溝内に形成され、それによって運動または暑い天気の間、着用者の熱放散を促進する。
【００２１】
本開示の具体的な実施形態の先述の記載は、例示および説明の目的のために提示されてきた。それらは、網羅的であることまたは本開示を開示された正確な形態に限定することは意図されておらず、および上記教示に照らして、明らかに、多くの修正および変形が可能である。例示的な実施形態は、本開示の原理およびその実際的適用を最もよく説明するために選択および記載され、それによって他の当業者が本開示および予期される特定の使用に適するような様々な修正を伴う様々な実施形態を最もよく利用することを可能にする。
【図１】
2019011545.tif 000003
【図２】
2019011545.tif 000004
【図３Ａ】
2019011545.tif 000005
【図３Ｂ】
2019011545.tif 000006
【図４】
2019011545.tif 000007
【図５】
2019011545.tif 000008
【図６】
2019011545.tif 000009
【外国語明細書】
2019011545000001.pdf